(57)【要約】      （修正有）【課題】好適な照明制御が可能な照明装置、及び、照明機器を提供する。【解決手段】照明装置１０は、第１電極Ｔ１１と第２電極Ｔ１２とを有する第１入力部Ｔ１０と、第３電極Ｔ２１と第４電極Ｔ２２とを有する第２入力部Ｔ２０と、第１入力部と第２入力部とを用いて外部から電力が供給され、発光部Ｄ９１〜Ｄ９３に電力を供給する電力供給回路１００と、一端側が第１入力部及び第２入力部の少なくとも１つに電気的に接続され、他端側が電力供給回路に電気的に接続されたスイッチ部ＳＷ１１〜ＳＷ２２と、異常を検出する検出部と、検出部が異常を検出したとき、スイッチ部の状態を変化させる制御部とを有する。【選択図】図３
2020194659.tif 000002
【特許請求の範囲】
【請求項１】
第１電極と第２電極とを有する第１入力部と、
第３電極と第４電極とを有する第２入力部と、
前記第１入力部と前記第２入力部とを用いて外部から電力が供給され、発光部に電力を供給する電力供給回路と、
一端側が前記第１入力部及び前記第２入力部の少なくとも１つに電気的に接続され、他端側が前記電力供給回路に電気的に接続されたスイッチ部と、
異常を検出する検出部と、
前記検出部が異常を検出したとき、前記スイッチ部の状態を変化させる制御部とを有する照明装置。
【請求項２】
請求項１に記載された照明装置であって、
前記検出部により異常が検出された場合、前記スイッチ部は、前記一端側と前記他端側との間に電流が流れることができない状態に変化する照明装置。
【請求項３】
請求項２に記載された照明装置であって、
前記検出部は、前記発光部に電力が供給される前に異常を検出する照明装置。
【請求項４】
請求項１から請求項３の何れか１項に記載された照明装置であって、
前記スイッチ部は、
一端側が前記第１電極に電気的に接続され、他端側が前記電力供給回路に電気的に接続された第１スイッチ部と、
一端側が前記第２電極に電気的に接続され、他端側が前記電力供給回路に電気的に接続された第２スイッチ部と、
一端側が前記第３電極に電気的に接続され、他端側が前記電力供給回路に電気的に接続された第３スイッチ部と、
一端側が前記第４電極に電気的に接続され、他端側が前記電力供給回路に電気的に接続された第４スイッチ部とを有する照明装置。
【請求項５】
請求項１から請求項４の何れか１項に記載された照明装置であって、
前記第１電極と前記電力供給回路との間、及び、前記第２電極と前記電力供給回路との間の少なくとも一方に備えられた第１インピーダンス素子と、
前記第３電極と前記電力供給回路との間、及び、前記第４電極と前記電力供給回路との間の少なくとも一方に備えられた第２インピーダンス素子とを有する照明装置。
【請求項６】
第１電極と第２電極とを有する第１入力部と、
第３電極と第４電極とを有する第２入力部と、
前記第１入力部と前記第２入力部とを用いて外部から電力が供給され、発光部に電力を供給する電力供給回路と、
一端側が前記第１電極に電気的に接続され、他端側が前記第２電極に電気的に接続されたスイッチ部と、
異常を検出する検出部と、
前記検出部が異常を検出したとき、前記スイッチ部の状態を変化させる制御部とを有する照明装置。
【請求項７】
請求項１から請求項６の何れか１項に記載された照明装置と、
前記照明装置に電力を供給する照明器具とを有する照明機器。
【発明の詳細な説明】
【技術分野】
【０００１】
本発明は、照明装置、及び、照明機器に関する。
【背景技術】
【０００２】
特許文献１には、外部から一対の入力端子部に入力される交流電流を直流電流に整流する整流回路部と、整流回路部から出力される直流電流の通電により発光するＬＥＤ発光部とを含むＬＥＤランプが記載されている。
【先行技術文献】
【特許文献】
【０００３】
【特許文献１】特許第５２６６５９４号公報
【発明の概要】
【発明が解決しようとする課題】
【０００４】
解決しようとする課題は、好適な照明制御が可能な照明装置、及び、照明機器を提供することである。
【課題を解決するための手段】
【０００５】
本発明の第１の観点に係る照明装置は、第１電極と第２電極とを有する第１入力部と、第３電極と第４電極とを有する第２入力部と、前記第１入力部と前記第２入力部とを用いて外部から電力が供給され、発光部に電力を供給する電力供給回路と、一端側が前記第１入力部及び前記第２入力部の少なくとも１つに電気的に接続され、他端側が前記電力供給回路に電気的に接続されたスイッチ部と、異常を検出する検出部と、前記検出部が異常を検出したとき、前記スイッチ部の状態を変化させる制御部とを有する。
本発明の第２の観点に係る照明装置は、第１電極と第２電極とを有する第１入力部と、第３電極と第４電極とを有する第２入力部と、前記第１入力部と前記第２入力部とを用いて外部から電力が供給され、発光部に電力を供給する電力供給回路と、一端側が前記第１電極に電気的に接続され、他端側が前記第２電極に電気的に接続されたスイッチ部と、異常を検出する検出部と、前記検出部が異常を検出したとき、前記スイッチ部の状態を変化させる制御部とを有する。
【発明の効果】
【０００６】
本発明によれば、好適な照明制御が可能な照明装置、及び、照明機器を提供することができる。
【図面の簡単な説明】
【０００７】
【図１】図１は第１実施形態の照明機器を説明するための図である。
【図２】図２は第１実施形態の照明器具を説明するための図である。
【図３】図３は第１実施形態の照明装置を説明するための図である。
【図４】図４は第１実施形態の照明機器の動作を説明するための図である。
【図５】図５は第１実施形態の照明機器の動作を説明するための別の図である。
【図６】図６は第１実施形態の照明機器の動作を説明するための更に別の図である。
【図７】図７は第２実施形態の照明機器を説明するための図である。
【図８】図８は第３実施形態の照明機器を説明するための図である。
【図９】図９は第４実施形態の照明機器を説明するための図である。
【図１０】図１０は第５実施形態の照明機器を説明するための図である。
【図１１】図１１は第６実施形態の照明機器を説明するための図である。
【図１２】図１２は第７実施形態の照明機器を説明するための図である。
【図１３】図１３は第８実施形態の照明機器を説明するための図である。
【発明を実施するための形態】
【０００８】
（第１実施形態）
【０００９】
図１は第１実施形態の照明機器を説明するための図、図２は第１実施形態の照明器具を説明するための図、図３は第１実施形態の照明装置を説明するための図である。
【００１０】
図１において、照明機器１は、外部電源８０と、照明器具７０と、照明装置１０とを有する。外部電源８０は、交流電源であっても、直流電源であってもよい。外部電源８０は、ユーザによりオン／オフ操作が可能な電源スイッチ（図示せず）を有することが好ましい。
【００１１】
照明器具７０は、照明装置１０を保持し、照明装置１０に電力を供給する機器である。照明器具７０は、照明装置１０を保持し、電力を供給するためのソケット（図示せず）を有することが好ましい。照明器具７０は、安定器（図示せず）を有していてもよいし、安定器を有していなくてもよい。
【００１２】
次に、図２を用いて、照明器具７０について説明する。
【００１３】
図２において、照明器具７０は、配線７０１〜７０４と、異常検出センサ７５、７６、７７、７８と、照明器具側制御部７１と、異常判断回路７２とを有する。
【００１４】
配線７０１は照明装置１０の第１電極Ｔ１１に接続するための配線であり、配線７０２は第２電極Ｔ１２に接続するための配線であり、配線７０３は第３電極Ｔ２１に接続するための配線であり、配線７０４は第４電極Ｔ２２に接続するための配線である。
【００１５】
照明器具側制御部７１は、電力生成回路７１１と、遮断回路７１２とを有する。電力生成回路７１１は、外部電源８０から供給される電力を制御して安定した電力を生成する。
【００１６】
本実施例において、電力生成回路７１１は、配線７０１上の接点（図示せず）と配線７０２上の接点（図示せず）との間に電圧Ｖ１を印加し、配線７０３上の接点（図示せず）と配線７０４上の接点（図示せず）との間に電圧Ｖ２を印加する。また、電力生成回路７１１は、配線７０１上の接点と配線７０３上の接点との間に、電圧Ｖ１、Ｖ２よりも十分に大きい電圧Ｖ３を印加する。
【００１７】
異常検出センサ７５〜７８のそれぞれは、配線７０１〜７０４のそれぞれに備えられている。電力生成回路７１１が上述した電圧Ｖ１、Ｖ２を印加した後、異常検出センサ７５は配線７０１の電気特性を検出し、センサ信号を異常判断回路７２に出力する。センサ信号は、例えば、配線７０１の電流値、配線７０１の電位の値等の情報を含むことが好ましい。異常検出センサ７６〜７８も、異常検出センサ７５同様に、センサ信号を異常判断回路７２に出力する。
【００１８】
異常判断回路７２は、供給されたセンサ信号が、予め定められた所定の範囲内の値でない場合、異常であると判断する。異常判断回路７２は、異常検出センサ７５〜７８の少なくとも１つから出力されたセンサ信号が異常であると判断した場合、遮断回路７１２に異常信号Ｓ７を出力し、全てのセンサ信号に異常がないと判断した場合、電力生成回路７１１に異常ではない旨の信号（図示せず）を出力する。
【００１９】
遮断回路７１２は、異常判断回路７２から異常信号Ｓ７が供給された場合、照明装置１０に供給する電力を遮断する制御を行い、異常判断回路７２から異常信号Ｓ７が供給されない場合、電力を遮断する制御を行わない。
【００２０】
電力生成回路７１１は、異常判断回路７２から異常ではない旨の信号が供給された場合、上述した電圧Ｖ３を印加し、異常判断回路７２から異常ではない旨の信号が供給されない場合、電圧Ｖ３を印加しない。
【００２１】
次に、図３を参照して、本実施形態の照明装置１０について説明する。照明装置１０は、第１入力部Ｔ１０と、第２入力部Ｔ２０と、抵抗Ｒ１１、Ｒ１２、Ｒ２１、Ｒ２２と、スイッチ部ＳＷと、電力供給回路１００と、検出部３０と、発光部Ｄ９１、Ｄ９２、Ｄ９３と、制御部４０とを有する。スイッチ部ＳＷは、第１スイッチＳＷ１１と、第２スイッチＳＷ１２と、第３スイッチＳＷ２１と、第４スイッチＳＷ２２とを有する。
【００２２】
第１入力部Ｔ１０は、第１電極Ｔ１１と、第２電極Ｔ１２とを有する。第１電極Ｔ１１及び第２電極Ｔ１２には、照明器具７０から所定の電圧が供給される。照明器具７０から供給される電圧は、第１電極Ｔ１１及び第２電極Ｔ１２に供給されても良いし、第１電極Ｔ１１及び第２電極Ｔ１２の少なくとも一方に供給されても良い。
【００２３】
第２入力部Ｔ２０は、第３電極Ｔ２１と、第４電極Ｔ２２とを有する。第２入力部Ｔ２０には、照明器具７０から第１入力部Ｔ１０とは異なる極性の電圧が供給されることが好ましい。照明器具７０から第２入力部Ｔ２０に供給される電圧は、第３電極Ｔ２１及び第４電極Ｔ２２に供給されても良いし、第３電極Ｔ２１及び第４電極Ｔ２２の少なくとも一方に供給されても良い。
【００２４】
抵抗Ｒ１１の一端側は第１電極Ｔ１１に接続され、抵抗Ｒ１１の他端側は第１スイッチＳＷ１１の一端側に接続されている。第１スイッチＳＷ１１の他端側は端子１０１に接続されている。抵抗Ｒ１２の一端側は第２電極Ｔ１２に接続され、抵抗Ｒ１２の他端側は第２スイッチＳＷ１２の一端側に接続されている。第２スイッチＳＷ１２の他端側は端子１０１に接続されている。
【００２５】
抵抗Ｒ２１の一端側は第３電極Ｔ２１に接続され、抵抗Ｒ２１の他端側は第３スイッチＳＷ２１の一端側に接続されている。第３スイッチＳＷ２１の他端側は端子１０２に接続されている。抵抗Ｒ２２の一端側は第４電極Ｔ２２に接続され、抵抗Ｒ２２の他端側は第４スイッチＳＷ２２の一端側に接続されている。第４スイッチＳＷ２２の他端側は端子１０２に接続されている。
【００２６】
電力供給回路１００は、所定の電圧又は電流を生成する回路である。電力供給回路１００は、端子１０１、１０２に接続されており、端子１０１、１０２から電力が供給される。電力供給回路１００は、発光部Ｄ９１、Ｄ９２、Ｄ９３に接続されており、発光部Ｄ９１、Ｄ９２、Ｄ９３を発光させるための電力（電流又は電圧）を生成する。
【００２７】
発光部Ｄ９１、Ｄ９２、Ｄ９３は、例えば、発光ダイオード（ＬＥＤ、light emitting diode）である。発光部Ｄ９１〜Ｄ９３は、電力供給回路１００から供給された電力を用いて発光する。発光部Ｄ９１〜Ｄ９３は、発光ダイオードに限定されるものではなく、電力を用いて発光できるものであれば、蛍光管、水銀灯等であってもよい。
【００２８】
検出部３０は、照明装置１０の異常を検出した場合、制御部４０に異常検出信号Ｓ６を出力し、異常を検出しない場合、異常検出信号Ｓ６を出力しない。具体的には、例えば、検出部３０は、第１入力部Ｔ１０又は第２入力部Ｔ２０に、予め定められた値と比較して過電圧（高電圧）、過電流（高電流）、低電圧又は低電流が供給された場合、第１入力部Ｔ１０又は第２入力部Ｔ２０に供給された電流又は電圧にノイズが含まれている場合、電力供給回路１００の異常を検出した場合等に制御部４０に異常検出信号Ｓ６を出力する。
【００２９】
制御部４０は、スイッチ部ＳＷ、電力供給回路１００、検出部３０等を制御する。制御部４０は、検出部３０から異常検出信号Ｓ６が出力された場合、異常情報が含まれた制御信号Ｓ１１〜Ｓ２２を生成し、検出部３０から異常検出信号Ｓ６が出力されなかった場合、異常情報が含まれない制御信号Ｓ１１〜Ｓ２２を生成する。
【００３０】
スイッチ部ＳＷは、供給された制御信号Ｓ１１〜Ｓ２２に応じて状態を変化させる。具体的には、第１スイッチＳＷ１１は、制御信号Ｓ１１に異常情報が含まれていれば状態をオフ状態（開放状態）に変化させ、制御信号Ｓ１１に異常情報が含まれていなければオン状態（閉成状態）を維持する。第２〜第４スイッチＳＷ１２〜ＳＷ２２については第１スイッチＳＷ１１と同様に動作するので詳細な説明は省略する。
【００３１】
なお、オン状態とは、例えば、第１スイッチＳＷ１１の一端側から他端側に電流が流れることができる状態である。オフ状態とは、例えば、第１スイッチＳＷ１１の一端側から他端側に電流が流れることができない状態である。
【００３２】
次に、本実施形態の照明機器１の動作について説明する。図４は第１実施形態の照明機器の動作を説明するための図、図５は第１実施形態の照明機器の動作を説明するための別の図、図６は第１実施形態の照明機器の動作を説明するための更に別の図である。以下の説明において、図１〜図３に示した構成と同様の構成には同一の参照符号を付し、重複した説明を省略する。なお、図５、図６においては、配線７０３〜７０４、第３、第４電極Ｔ２１〜Ｔ２２、第３、第４スイッチＳＷ２１〜ＳＷ２２等の図示を省略している。
【００３３】
本実施形態の照明機器は、図４に示すように、ＳＴＥＰ１において、照明装置１０の第１〜第４スイッチＳＷ１１〜ＳＷ２２がオン状態にされており、外部電源８０の電源スイッチ（図示せず）がオフ状態にされている。
【００３４】
ＳＴＥＰ２において、外部電源８０の電源スイッチがオン状態にされる。これにより、照明器具７０の照明器具側制御部７１が動作を開始する。具体的には、照明器具側制御部７１は、配線７０１上の接点と配線７０２上の接点との間に電圧Ｖ１を印加し、配線７０３上の接点と配線７０４上の接点との間に電圧Ｖ２を印加する（図２ご参照）。これにより、第１電極Ｔ１１〜第４電極Ｔ２２を介して照明装置１０に電力が供給される。
【００３５】
ＳＴＥＰ３において、検出部３０は、照明装置１０の異常を検出できないとき異常検出信号Ｓ６を出力しない。検出部３０から異常検出信号Ｓ６が出力されない場合、制御部４０は、異常情報が含まれない制御信号Ｓ１１〜Ｓ２２をスイッチ部ＳＷに供給する。これにより、第１〜第４スイッチＳＷ１１〜ＳＷ２２は、オン状態（閉成状態）を維持する。
【００３６】
第１〜第４スイッチＳＷ１１〜ＳＷ２２がオン状態であるとき、図５に示すように、配線７０１、第１電極Ｔ１１、抵抗Ｒ１１、第１〜第２スイッチＳＷ１１〜ＳＷ１２、抵抗Ｒ１２、第２電極Ｔ１２、配線７０２を通る第１経路７０６に電流が流れる。同様に、配線７０３〜配線７０４を通る第２経路７０７（図２ご参照）にも電流が流れる。
【００３７】
一方、検出部３０が照明装置１０の異常を検出したとき、検出部３０は異常検出信号Ｓ６を出力する。検出部３０から異常検出信号Ｓ６が出力された場合、制御部４０は、異常情報が含まれた制御信号Ｓ１１〜Ｓ２２をスイッチ部ＳＷに供給する。これにより、第１〜第４スイッチＳＷ１１〜ＳＷ２２は、状態がオフ状態（開放状態）に変化する。
【００３８】
第１〜第４スイッチＳＷ１１〜ＳＷ２２がオフ状態であるとき、図６に示すように、配線７０１、第１電極Ｔ１１、抵抗Ｒ１１、第１〜第２スイッチＳＷ１１〜ＳＷ１２、抵抗Ｒ１２、第２電極Ｔ１２、配線７０２を通る第１経路７０６に電流が流れない。同様に、配線７０３〜配線７０４を通る第２経路７０７（図２ご参照）にも電流が流れない。
【００３９】
ＳＴＥＰ４において、異常検出センサ７５〜７８のそれぞれは、センサ信号を異常判断回路７２に出力する。異常判断回路７２は、異常検出センサ７５〜７８の全てのセンサ信号に異常がないと判断した場合、電力生成回路７１１に異常ではない旨の信号を出力する。この場合、ＳＴＥＰ５に進み、通常処理が実行される。
【００４０】
例えば、図５に示すように、第１〜第４スイッチＳＷ１１〜ＳＷ２２がオン状態であり、センサ信号が予め定められた所定の範囲内の値である場合（例えば、配線７０１〜配線７０４の電流値が所定の範囲内の値である場合）、異常判断回路７２は異常がないと判断する。
【００４１】
一方、異常判断回路７２が異常検出センサ７５〜７８の少なくとも１つのセンサ信号に異常があると判断した場合、異常判断回路７２は遮断回路７１２に異常信号Ｓ７を出力する。この場合、ＳＴＥＰ６に進み、異常処理が実行される。
【００４２】
例えば、図６に示すように、第１〜第４スイッチＳＷ１１〜ＳＷ２２がオフ状態であり、センサ信号が予め定められた所定の範囲内の値でない場合（例えば、配線７０１〜配線７０４の電流値がゼロである場合）、異常判断回路７２は異常があると判断する。
【００４３】
ＳＴＥＰ５では、通常処理が実行される。異常ではない旨の信号が供給された電力生成回路７１１は、配線７０１上の接点と配線７０３上の接点との間に、電圧Ｖ１、Ｖ２よりも十分に大きい電圧Ｖ３を印加する。
【００４４】
照明装置１０の電力供給回路１００は、照明器具７０から供給された電圧Ｖ３を用いて、発光部Ｄ９１、Ｄ９２、Ｄ９３に電流を供給する。発光部Ｄ９１〜Ｄ９３は、供給された電流を用いて発光する。照明装置１０の電力供給回路１００は、電圧Ｖ３が供給される前は動作をしないことが好ましい。
【００４５】
ＳＴＥＰ６では、異常処理が実行される。異常信号Ｓ７が供給された遮断回路７１２は、照明装置１０に供給する電力を遮断する制御を行い、第１入力部Ｔ１０及び第２入力部Ｔ２０に電力が供給されなくなる。
【００４６】
上述した第１実施形態の照明機器１の照明装置１０は、第１入力部Ｔ１０及び第２入力部Ｔ２０の少なくとも１つに接続されたスイッチ部ＳＷを有する。このため、例えば、照明装置１０の異常の有無に応じてスイッチ部ＳＷの状態を変化させることにより、第１入力部Ｔ１０及び第２入力部Ｔ２０の少なくとも１つを照明装置１０の外部から見たときのインピーダンス（例えば、抵抗）を変化させることができ、好適な照明制御を実現できる。
【００４７】
照明器具７０は、第１入力部Ｔ１０又は第２入力部Ｔ２０に電気的に接続された異常検出センサ７５〜７８と、異常検出センサ７５〜７８からセンサ信号が供給される異常判断回路７２とを有する。異常判断回路７２は第１入力部Ｔ１０及び第２入力部Ｔ２０の少なくとも１つのインピーダンスを検出することにより、照明装置１０の異常の有無を判断でき、好適な照明制御を実現できる。
【００４８】
照明器具７０は、遮断回路７１２を有するので、異常判断回路７２が異常であると判断したときに照明装置１０に供給する電力を遮断する。このため、異常判断回路７２が異常であると判断した場合、電圧Ｖ１、Ｖ２よりも十分に大きい電圧Ｖ３が照明装置１０に供給されないので、照明機器の安全性が向上する。
【００４９】
本実施形態の照明機器１は、遮断回路７１２が照明装置１０ではなく、照明器具７０に備えられているので、その分だけ、照明装置１０の小型化を図ることができる。
【００５０】
本実施形態において、検出部３０による異常検出に用いられる第１経路７０６及び第２経路７０７は、電圧Ｖ３よりも十分に小さい電圧Ｖ１、Ｖ２が印加されるので、第１経路７０６及び第２経路７０７に備えられる電気機械部品には電圧Ｖ３よりも十分に低い耐電圧が要求される。このため、電圧Ｖ３よりも十分に低い耐電圧の電気機械部品を第１経路７０６及び第２経路７０７に使用できるので、その分だけ製品の製造コストを抑えることができる。
【００５１】
（第２実施形態）
【００５２】
図７は第２実施形態の照明機器を説明するための図である。以下の説明において、図１〜図６に示した構成と同様の構成には同一の参照符号を付し、重複した説明を省略する。第２実施形態の照明機器１０ａは、第２実施形態の照明装置１０の電力供給回路１００に換えて電力供給回路１００ａを有する点が第１実施形態の照明機器と相違する。
【００５３】
図７において、電力供給回路１００ａは、整流回路Ｄ１０と、整流回路Ｄ１０以外の回路２０とを有する。電力供給回路１００ａは、第１実施形態の電力供給回路１００（図３ご参照）と同様に、端子１０１、１０２が第１入力部Ｔ１０及び第２入力部Ｔ２０に電気的に接続されている。電力供給回路１００ａは、端子１０３、１０４に接続されている。発光部Ｄ９１〜Ｄ９３の一端は端子１０３に接続され、発光部Ｄ９１〜Ｄ９３の他端は端子１０４に接続されている。
【００５４】
ダイオードＤ１１〜Ｄ１４は整流回路Ｄ１０を構成している。端子１０１は、ダイオードＤ１１のアノード及びダイオードＤ１４のカソードに接続され、端子１０２は、ダイオードＤ１２のアノード及びダイオードＤ１３のカソードに接続されている。
【００５５】
ダイオードＤ１１、Ｄ１２のカソードは、コンデンサＣ１の一端、ダイオードＤ２のカソード、コンデンサＣ２の一端、及び、端子１０３に接続されている。
【００５６】
ダイオードＤ１３、Ｄ１４のアノードは、トランジスタＱ２のソース、コンデンサＣ１の他端、トランジスタＱ１のソースに接続されている。
【００５７】
ダイオードＤ２のアノードは、トランジスタＱ１のドレイン、及び、コイルＬ１の一端に接続されている。
【００５８】
トランジスタＱ２のドレインは、コイルＬ１の他端、コンデンサＣ２の他端、及び、端子１０４に接続されている。
【００５９】
トランジスタＱ１のゲート、及び、トランジスタＱ２のゲートは制御部４０に接続され、制御信号Ｓ１、Ｓ２が供給される。
【００６０】
次に、上述した照明機器の電力供給回路１００ａの動作を説明する。
【００６１】
まず、図４に示したＳＴＥＰ２において、照明器具７０が配線７０１と配線７０２との間に電圧Ｖ１を印加し、配線７０３と配線７０４との間に電圧Ｖ１と同一の電圧Ｖ２を印加した場合、ダイオードＤ１１、Ｄ１２のカソード及びダイオードＤ１３、Ｄ１４のアノードからは電圧が出力されない。
【００６２】
図４に示したＳＴＥＰ５において、照明器具７０が配線７０１と配線７０３との間に電圧Ｖ３を印加した場合、ダイオードＤ１１、Ｄ１２のカソード及びダイオードＤ１３、Ｄ１４のアノードからは整流された電圧が出力される。
【００６３】
電力供給回路１００ａは、第１入力部Ｔ１０及び第２入力部Ｔ２０に供給される電圧又は電流が所定周波数よりも高周波数であるか否かを判断する周波数判断回路（図示せず）を有する。制御部４０は、第１入力部Ｔ１０及び第２入力部Ｔ２０に供給された電圧又は電流が所定周波数よりも高周波数であると周波数判断回路により判断された場合は、トランジスタＱ２のゲートに、トランジスタＱ２をオン状態とする制御信号Ｓ２を供給し、トランジスタＱ２をオン状態（ドレイン−ソース間に電流が流れる状態）とする。
一方、制御部４０は、周波数判断回路により所定周波数よりも高周波数ではないと判断された場合は、トランジスタＱ２のゲートにトランジスタＱ２をオフ状態とする制御信号Ｓ２を供給し、トランジスタＱ２をオフ状態（ドレイン−ソース間に電流が流れない状態）とする。
【００６４】
トランジスタＱ２がオン状態である場合、ダイオードＤ１１、Ｄ１２のカソードから出力された電流は、端子１０３、発光部Ｄ９１〜Ｄ９３、端子１０４、トランジスタＱ２のドレイン−ソース、ダイオードＤ１３、Ｄ１４のアノードを通る経路で流れる。
【００６５】
トランジスタＱ２がオフ状態である場合、制御部４０がトランジスタＱ１に制御信号Ｓ１を供給する。本実施形態において、制御信号Ｓ１は所定周波数でオンとオフとを繰り返す信号であり、トランジスタＱ１はオン状態とオフ状態とを繰り返す。
【００６６】
トランジスタＱ１がオン状態である場合、ダイオードＤ１１、Ｄ１２のカソードから出力された電流は、端子１０３、発光部Ｄ９１〜Ｄ９３、端子１０４、コイルＬ１、トランジスタＱ１のドレイン−ソース、ダイオードＤ１３、Ｄ１４のアノードを通る経路で流れる。
【００６７】
一方、トランジスタＱ１がオフ状態である場合の電流は、コイルＬ１の一端、ダイオードＤ２、端子１０３、発光部Ｄ９１〜Ｄ９３、端子１０４、コイルＬ１の他端を通る経路で流れる。なお、コンデンサＣ１、Ｃ２は、所定の平滑動作を行う。
【００６８】
上述した第２実施形態の照明機器の電力供給回路１００ａは、第１入力部Ｔ１０及び第２入力部Ｔ２０に供給される電圧又は電流が所定周波数よりも高周波数であるか否かを判断する周波数判断回路を有する。このため、第１入力部Ｔ１０及び第２入力部Ｔ２０に供給される電圧又は電流の周波数に応じた好適な制御を実現できる。
【００６９】
（第３実施形態）
【００７０】
図８は第３実施形態の照明機器を説明するための図である。以下の説明において、図１〜図７に示した構成と同様の構成には同一の参照符号を付し、重複した説明を省略する。
【００７１】
第３実施形態の照明機器は、第１実施形態の照明器具７０の異常検出センサ７５〜７８に換えて異常検出センサ７５ａ〜７８ａを有する点が第１実施形態の照明機器と相違する。
【００７２】
図８において、異常検出センサ７５ａは、コイル７５１、７５２と、コア７５３と、端子７５４、７５５とを有する。異常検出センサ７５ａのコイル７５１には、配線７０１に流れる電流が流れる。コイル７５１に電流が流れるとコイル７５２にも電流が流れる。端子７５４、７５５から出力されるセンサ信号が異常判断回路７２（図２ご参照）に供給される。
【００７３】
異常検出センサ７６ａ、７７ａ、７８ａ（図示せず）も、異常検出センサ７５ａと同様に、センサ信号を異常判断回路７２に出力する。異常検出センサ７６ａ〜７８ａの動作は異常検出センサ７５ａと同様であるため、詳細な説明は省略する。
【００７４】
上述した第３実施形態の照明機器は、異常検出センサ７５ａ〜７８ａを有するので、上述した実施形態と同様に照明装置の異常の有無を判断でき、好適な照明制御を実現できる。
【００７５】
（第４実施形態）
【００７６】
図９は第４実施形態の照明機器を説明するための図である。以下の説明において、図１〜図８に示した構成と同様の構成には同一の参照符号を付し、重複した説明を省略する。
【００７７】
第４実施形態の照明機器は、第１実施形態の照明器具７０の異常検出センサ７５〜７８に換えて異常検出センサ７５ｂ〜７８ｂを有する点が第１実施形態の照明機器と相違する。
【００７８】
図９において、異常検出センサ７５ｂは、抵抗７５６と、端子７５７、７５８とを有する。異常検出センサ７５ｂの抵抗７５６には、配線７０１に流れる電流が流れる。抵抗７５６に電流が流れると抵抗７５６の一端側と他端側との間に電位差Ｖ５が生じる。
【００７９】
端子７５７は抵抗７５６の一端側に接続され、端子７５８は抵抗７５６の他端側に接続されている。端子７５７、７５８から出力されるセンサ信号が異常判断回路７２（図２ご参照）に供給される。
【００８０】
異常検出センサ７６ｂ、７７ｂ、７８ｂ（図示せず）も、異常検出センサ７５ｂと同様に、センサ信号を異常判断回路７２に出力する。異常検出センサ７６ｂ〜７８ｂの動作は異常検出センサ７５ｂと同様であるため、詳細な説明は省略する。
【００８１】
上述した第４実施形態の照明機器は、異常検出センサ７５ｂ〜７８ｂを有するので、上述した実施形態と同様に照明装置の異常の有無を判断でき、好適な照明制御を実現できる。
【００８２】
（第５実施形態）
【００８３】
図１０は第５実施形態の照明機器を説明するための図である。以下の説明において、図１〜図９に示した構成と同様の構成には同一の参照符号を付し、重複した説明を省略する。
【００８４】
第５実施形態の照明機器１０ｂは、第２実施形態の照明装置１０ａのスイッチ部ＳＷの第２スイッチＳＷ１２及び第４スイッチＳＷ２２が設けられていない点が第２実施形態の照明機器と相違する。
【００８５】
図１０において、照明装置１０ｂのスイッチ部ＳＷは、第１スイッチＳＷ１１と、第３スイッチＳＷ２１とを有する。抵抗Ｒ１２の一端側は第２電極Ｔ１２に接続され、抵抗Ｒ１２の他端側は端子１０１に接続されている。抵抗Ｒ２２の一端側は第４電極Ｔ２２に接続され、抵抗Ｒ２２の他端側は端子１０２に接続されている。
【００８６】
第５実施形態の照明機器は、第１スイッチＳＷ１１がオン状態であるとき、第１電極Ｔ１１、抵抗Ｒ１１、第１スイッチＳＷ１１、抵抗Ｒ１２、第２電極Ｔ１２を通る第１経路７０６に電流が流れる。また、第３スイッチＳＷ２１がオン状態であるとき、第３電極Ｔ２１、抵抗Ｒ２１、第３スイッチＳＷ２１、抵抗Ｒ２２、第４電極Ｔ２２を通る第２経路７０７に電流が流れる。
【００８７】
上述した第５実施形態の照明機器は、スイッチ部ＳＷに第２スイッチＳＷ１２及び第４スイッチＳＷ２２（図３ご参照）が設けられていないので、その分だけ製品の製造コストを抑えることができる。
【００８８】
（第６実施形態）
【００８９】
図１１は第６実施形態の照明機器を説明するための図である。以下の説明において、図１〜図１０に示した構成と同様の構成には同一の参照符号を付し、重複した説明を省略する。
【００９０】
第６実施形態の照明機器１０ｃは、図１０に示した第５実施形態の照明装置１０ｂの第３スイッチＳＷ２１が設けられていない点が第５実施形態の照明機器と相違する。
【００９１】
図１１において、照明装置１０ｃのスイッチ部ＳＷは、第１スイッチＳＷ１１を有する。抵抗Ｒ２１の一端側は第３電極Ｔ２１に接続され、抵抗Ｒ２１の他端側は端子１０２に接続されている。
【００９２】
第６実施形態の照明機器は、第１スイッチＳＷ１１がオン状態であるとき、第１電極Ｔ１１、抵抗Ｒ１１、第１スイッチＳＷ１１、抵抗Ｒ１２、第２電極Ｔ１２を通る第１経路７０６に電流が流れる。また、第３電極Ｔ２１、抵抗Ｒ２１、抵抗Ｒ２２、第４電極Ｔ２２を通る第２経路７０７に電流が流れる。
【００９３】
上述した第６実施形態の照明機器は、第５実施形態の照明機器と比較して、第３スイッチＳＷ２１が設けられていない分だけ製品の製造コストを抑えることができる。
【００９４】
（第７実施形態）
【００９５】
図１２は第７実施形態の照明機器を説明するための図である。以下の説明において、図１〜図１１に示した構成と同様の構成には同一の参照符号を付し、重複した説明を省略する。
【００９６】
第７実施形態の照明機器１０ｄは、第２実施形態の照明装置１０ａの抵抗Ｒ１２及び抵抗Ｒ２２が設けられていない点が第２実施形態の照明機器と相違する。
【００９７】
図１２において、照明装置１０ｄは、第２電極Ｔ１２が第２スイッチＳＷ１２の一端側に接続され、第２スイッチＳＷ１２の他端側が端子１０１に接続されている。また、第４電極Ｔ２２が第４スイッチＳＷ２２の一端側に接続され、第４スイッチＳＷ２２の他端側が端子１０２に接続されている。
【００９８】
本実施形態の照明機器は、第１、第２スイッチＳＷ１１〜ＳＷ１２がオン状態であるとき、第１電極Ｔ１１、抵抗Ｒ１１、第１、第２スイッチＳＷ１１〜ＳＷ１２、第２電極Ｔ１２を通る第１経路７０６に電流が流れる。また、第３、第４スイッチＳＷ２１〜ＳＷ２２がオン状態であるとき、第３電極Ｔ２１、抵抗Ｒ２１、第３、第４スイッチＳＷ２１〜ＳＷ２２、第４電極Ｔ２２を通る第２経路７０７に電流が流れる。
【００９９】
上述した第７実施形態の照明機器は、抵抗Ｒ１２及び抵抗Ｒ２２（図３ご参照）が設けられていないので、その分だけ製品の製造コストを抑えることができる。
【０１００】
（第８実施形態）
【０１０１】
図１３は第８実施形態の照明機器を説明するための図である。以下の説明において、図１〜図１２に示した構成と同様の構成には同一の参照符号を付し、重複した説明を省略する。
【０１０２】
本実施形態の照明機器１０ｅは、第２実施形態の照明装置１０ａのスイッチ部ＳＷの第１〜第４スイッチＳＷ１１〜ＳＷ２２に換えて第５スイッチＳＷ１３、第６スイッチＳＷ２３を有する点が第２実施形態の照明機器と相違する。
【０１０３】
図１３において、照明装置１０ｅのスイッチ部ＳＷは、第５スイッチＳＷ１３と、第６スイッチＳＷ２３とを有する。第５スイッチＳＷ１３は、一端側が第１電極Ｔ１１に接続され、他端側が第２電極Ｔ１２に接続されている。第６スイッチＳＷ２３は、一端側が第３電極Ｔ２１に接続され、他端側が第４電極Ｔ２２に接続されている。
【０１０４】
次に、本実施形態の照明機器１０ｅの動作について説明する。
【０１０５】
図４に示すＳＴＥＰ１において、照明装置１０ｅの第５、第６スイッチＳＷ１３〜ＳＷ２３はオフ状態（開放状態）にされている。
【０１０６】
図４に示すＳＴＥＰ３において、検出部３０から異常検出信号Ｓ６が出力されない場合、制御部４０は、異常情報が含まれない制御信号Ｓ１３を第５スイッチＳＷ１３に供給し、異常情報が含まれない制御信号Ｓ２３を第６スイッチＳＷ２３に供給する。これにより、第５、第６スイッチＳＷ１３〜ＳＷ２３はオフ状態を維持する。
【０１０７】
一方、検出部３０から異常検出信号Ｓ６が出力された場合、制御部４０は、異常情報が含まれた制御信号Ｓ１３を第５スイッチＳＷ１３に供給し、異常情報が含まれた制御信号Ｓ２３を第６スイッチＳＷ２３に供給する。これにより、第５、第６スイッチＳＷ１３〜ＳＷ２３はオン状態（閉成状態）に変化する。
【０１０８】
第５、第６スイッチＳＷ１３〜ＳＷ２３がオフ状態の場合、第１電極Ｔ１１、抵抗Ｒ１１、抵抗Ｒ１２、第２電極Ｔ１２を通る第１経路７０６に電流が流れ、第３電極Ｔ２１、抵抗Ｒ２１、抵抗Ｒ２２、第４電極Ｔ２２を通る第２経路７０７に電流が流れる。
【０１０９】
一方、第５、第６スイッチＳＷ１３〜ＳＷ２３がオン状態の場合、第１電極Ｔ１１、第５スイッチＳＷ１３、第２電極Ｔ１２を通る経路で電流が流れ、第３電極Ｔ２１、第６スイッチＳＷ２３、第４電極Ｔ２２を通る経路で電流が流れる。
【０１１０】
このように、異常検出信号Ｓ６が出力されない場合（第５、第６スイッチＳＷ１３〜ＳＷ２３がオフ状態の場合）と、異常検出信号Ｓ６が出力される場合（第５、第６スイッチＳＷ１３〜ＳＷ２３がオン状態の場合）とで、第１入力部Ｔ１０及び第２入力部Ｔ２０を照明装置１０の外部から見たときのインピーダンスを変化させることができる。
【０１１１】
本実施例において、照明器具（図示せず）は、配線７０１〜７０４のそれぞれに備えられた異常検出センサ７５〜７８を用いて、第１入力部Ｔ１０及び第２入力部Ｔ２０を照明装置１０の外部から見たときのインピーダンスを検出する。
【０１１２】
異常判断回路７２は、異常検出センサから供給されたセンサ信号が、異常検出信号Ｓ６が出力されず、第５、第６スイッチＳＷ１３〜ＳＷ２３がオフ状態になる場合のインピーダンスに対応するものであると判断した場合は異常がないと判断し、異常信号Ｓ７を出力しない。また、異常判断回路７２は、異常検出センサから供給されたセンサ信号が、異常検出信号Ｓ６が出力され、第５、第６スイッチＳＷ１３〜ＳＷ２３がオン状態になる場合のインピーダンスに対応するものであると判断した場合は異常があると判断し、異常信号Ｓ７を出力する。
【０１１３】
遮断回路７１２は、異常判断回路７２により異常がないと判断され異常信号Ｓ７が出力されない場合、照明装置１０に供給する電力を遮断する制御を行わず、異常判断回路７２により異常があると判断され異常信号Ｓ７が出力された場合、照明装置１０に供給する電力を遮断する制御を行う。電力生成回路７１１は、異常判断回路７２により異常がないと判断された場合、配線７０１と配線７０３との間に電圧Ｖ３を印加する。
【０１１４】
上述した第８実施形態の照明機器は、第５、第６スイッチＳＷ１３〜ＳＷ２３を有するので、異常の有無に対応した好適な照明制御を実現できる。
【０１１５】
（変形例）
【０１１６】
上述した第１〜第４及び第７実施形態では、抵抗Ｒ１１〜Ｒ２２が第１〜第４電極Ｔ１１〜Ｔ２２と第１〜第４スイッチＳＷ１１〜ＳＷ２２との間に備えられる例を用いて説明したがこれに限定されるものではない。例えば、抵抗Ｒ１１〜Ｒ２２が第１〜第４スイッチＳＷ１１〜ＳＷ２２と端子１０１、１０２との間に備えられていてもよい。
【０１１７】
上述した実施形態では、第１経路７０６、第２経路７０７に抵抗が備えられる例を用いて説明したがこれに限定されない。例えば、第１電極Ｔ１１と端子１０１との間、又は、第２電極Ｔ１２と端子１０１との間の少なくとも１カ所、及び、第３電極Ｔ２１と端子１０２との間、又は、第４電極Ｔ２２と端子１０２との間の少なくとも１カ所にインピーダンス素子を備えることが好ましい。インピーダンス素子とは、抵抗、コンデンサ及びコイルのうち少なくとも１つの電気特性を有するものをいう。
【０１１８】
また、第１経路７０６、第２経路７０７に備えられた抵抗Ｒ１１〜Ｒ２２等に換えてコンデンサ、インダクタ等の回路要素が備えられていてもよいし、抵抗Ｒ１１〜Ｒ２２等に換えて抵抗、コンデンサ及びインダクタの少なくとも１つを組み合わせた回路要素が備えられていてもよい。
【０１１９】
上述した実施形態において、電力供給回路１００は、発光部Ｄ９１、Ｄ９２、Ｄ９３に電流又は電圧を供給できる任意の回路とすることができる。例えば、電力供給回路１００は、整流回路、及び、スイッチング電源等を含むことが好ましい。
【０１２０】
上述した第１〜第４及び第７実施形態においては、検出部３０から異常検出信号Ｓ６が出力された場合、制御部４０が異常情報が含まれた制御信号Ｓ１１〜Ｓ２２を第１〜第４スイッチＳＷ１１〜ＳＷ２２に供給する例を用いて説明したが、これに限定されるものではない。例えば、制御部４０は、検出部３０から異常検出信号Ｓ６が出力された場合、第１〜第４スイッチＳＷ１１〜ＳＷ２２の少なくとも１つに異常情報が含まれた制御信号を供給してもよい。
【０１２１】
上述した実施形態では、照明器具７０から照明装置１０に電圧Ｖ３が供給される前に、異常判断回路７２が異常の有無を判断する例を用いて説明したが、これに限定されるものではない。異常判断回路７２が異常の有無を判断するタイミングは、例えば、照明器具７０が電圧Ｖ１、Ｖ２を印加している期間であってもよいし、発光部Ｄ９１〜Ｄ９３に電流が供給される前であってもよいし、照明器具７０が電圧Ｖ３を印加してから所定期間内であってもよい。
【０１２２】
同様に、検出部３０が異常を検出するタイミングや、制御部４０により異常情報が含まれた制御信号がスイッチ部ＳＷに供給されるタイミングや、スイッチ部ＳＷの状態が変化するタイミングや、遮断回路７１２により異常処理（電力の遮断処理）が実行されるタイミングは、例えば、照明器具７０から照明装置１０に電圧Ｖ３が供給される前であってもよいし、照明器具７０が電圧Ｖ１、Ｖ２を印加している期間であってもよいし、発光部Ｄ９１〜Ｄ９３に電流が供給される前であってもよいし、照明器具７０が電圧Ｖ３を印加してから所定期間内であってもよい。
【０１２３】
上述した各実施形態の構成は互いに組み合わせることができる。上記では、種々の実施の形態及び変形例を説明したが、本発明はこれらの内容に限定されるものではない。例えば、上述した各実施形態の構成を互いに組み合わせたもの、本発明の技術的思想の範囲内で考えられるその他の態様も本発明の範囲内に含まれる。
【産業上の利用可能性】
【０１２４】
本発明によれば、好適な照明制御が可能な照明装置、及び、照明機器を提供することができる。
【符号の説明】
【０１２５】
１０    照明装置
Ｔ１１    第１電極
Ｔ１２    第２電極
Ｔ２１    第３電極
Ｔ２２    第４電極
１００    電力供給回路
ＳＷ    スイッチ部
３０    検出部
４０    制御部
【図１】
2020194659.tif 000003
【図２】
2020194659.tif 000004
【図３】
2020194659.tif 000005
【図４】
2020194659.tif 000006
【図５】
2020194659.tif 000007
【図６】
2020194659.tif 000008
【図７】
2020194659.tif 000009
【図８】
2020194659.tif 000010
【図９】
2020194659.tif 000011
【図１０】
2020194659.tif 000012
【図１１】
2020194659.tif 000013
【図１２】
2020194659.tif 000014
【図１３】
2020194659.tif 000015